(57)【要約】      （修正有）【課題】爪表面の微小な凹凸を除去し爪表面に艶や光沢を与えて美しく仕上げることのできる電動式爪磨き器を提供する。【解決手段】駆動部２と研磨部３とで構成し、駆動部２は片手で握れる略円筒状としモータと電池を内蔵させて回転軸を円筒状の一端面から突出させる。研磨部３はモータの回転軸に着脱可能な円筒状のカートリッジと、その円筒外面に並べて取り付けた第１、第２の研磨体とで構成し、各研磨体は中央にカートリッジの外径に等しい径の穴を設けた同一外径の円板状布を複数枚積層して穴に近い部分を相互に接着して円筒状に形成し、その内面をカートリッジに接着して取り付ける。第１、第２の研磨体を構成する円板状布には異なる硬度を有する布を用いる。【選択図】図１
0003183767.tif 000002
【実用新案登録請求の範囲】
【請求項１】
爪の表面を磨く電動式爪磨き器であって、駆動部と研磨部とからなり、
前記駆動部は片手で握れる略円筒状で、モータと電池を内蔵して回転軸を円筒状の一端面から突出させて構成されており、
前記研磨部は前記回転軸に着脱可能な円筒状のカートリッジと、その円筒外面に前記駆動部側となる側から並べて取り付けた第１、第２の研磨体とからなり、各研磨体は中央に前記カートリッジの外径に等しい径の内穴を設けた同一外径の円板状布を複数枚積層して内穴に近い部分を相互に接着して円筒状に形成し、その内面をカートリッジに接着して取り付けてあり、第１、第２の研磨体を構成する円板状布には異なる硬度を有する布が用いてあることを特徴とする電動式爪磨き器。
【請求項２】
請求項１に記載の電動式爪磨き器において、前記駆動部にはスイッチが取り付けられ、該スイッチの切り換えにより前記モータの回転方向を切り換えできるように構成してあることを特徴とする電動式爪磨き器。
【考案の詳細な説明】
【技術分野】
【０００１】
本考案は、爪表面の微小な凹凸を除去し、爪表面に艶や光沢を与えて美しく仕上げる電動式爪磨き器に関する。
【背景技術】
【０００２】
従来、爪を手で磨く場合には、サンドペーパーやヤスリで表面の凹凸を除いた後、弾力性のあるなめし革や布で更に表面を研磨して美しく仕上げる方法で行なわれていた。しかし、この方法では爪磨きに片方の手しか使えないため思うように磨くことができず、時間がかかる問題もある。この問題を解決するため、片手だけで短時間で爪磨きできるようにする電動式の爪磨き器が各種提案されている。
【０００３】
例えば、特許文献１には、モータで駆動される回転軸にヤスリ目の粗さが異なる同一外形の３個のヤスリを軸方向に密着して固定し、その先に円錐形の爪キワ仕上げ用ヤスリ材を備えた電動式爪磨き器が開示されている。しかし、この爪磨き器の場合は、目の粗さの異なる３個のヤスリが方向に密着して固定されているため、目の細かいヤスリで研磨中に誤って目の粗いヤスリが爪に接触してしまうと、研磨済みの爪表面に再び傷がつく問題がある。また、ヤスリを使用するのでは艶や光沢のある美しい仕上げは困難である。
【０００４】
また、特許文献２〜５にもヤスリを使用した電動式爪磨き器が開示されている。しかし、ヤスリを使用する爪磨き器は爪表面の凹凸を除いたり、爪先端の形状を整えたりするには都合がよくても、爪表面の微小な凹凸を除去して爪表面に艶や光沢を持たせる美しい仕上げには適していない。
【先行技術文献】
【特許文献】
【０００５】
【特許文献１】特許第５０３０２７４号
【特許文献２】特許第３８８５４６５号
【特許文献３】特開平１１−２３５２２７号公報
【特許文献４】特開平１１−２３５２２８号公報
【特許文献５】特開２００１−３７５３７号公報
【考案の開示】
【考案が解決しようとする課題】
【０００６】
本考案は、従来技術のこうした問題点を解決するためになされたもので、その課題は、爪表面の微小な凹凸を除去し、爪表面に艶や光沢を与えて美しく仕上げることのできる電動式爪磨き器を提供することにある。
【課題を解決するための手段】
【０００７】
前記課題を解決するための請求項１に記載の考案は、爪の表面を磨く電動式爪磨き器であって、駆動部と研磨部とからなり、
前記駆動部は片手で握れる略円筒状で、モータと電池を内蔵して回転軸を円筒状の一端面から突出させて構成されており、
前記研磨部は前記回転軸に着脱可能な円筒状のカートリッジと、その円筒外面に前記駆動部側となる側から並べて取り付けた第１、第２の研磨体とからなり、各研磨体は中央に前記カートリッジの外径に等しい径の内穴を設けた同一外径の円板状布を複数枚積層して内穴に近い部分を相互に接着して円筒状に形成し、その内面をカートリッジに接着して取り付けてあり、第１、第２の研磨体を構成する円板状布には異なる硬度を有する布が用いてあることを特徴とする電動式爪磨き器である。
【０００８】
このような構成の電動式爪磨き器は硬さの異なる２種類の布で製作した二つの研磨体を備えるため、爪表面の微小な凹凸を除去と、爪表面に艶や光沢を与えて美しく仕上げる仕上げ研磨の２種類の研磨を行なうことができる。研磨部はカートリッジが回転軸に着脱可能になっているため、複数の研磨部を準備して爪表面の状態に応じて更に適切な研磨を行うこともできる。
【０００９】
また、請求項２に記載の考案は、請求項１に記載の電動式爪磨き器において、前記駆動部にはスイッチが取り付けられ、該スイッチの切り換えにより前記モータの回転方向を切り換えできるように構成してあることを特徴とする電動式爪磨き器である。
【００１０】
このようにスイッチの切り換えによりモータの回転方向を変えることができれば研磨個所に応じて適切な研磨ができる。
【図面の簡単な説明】
【００１１】
【図１】本考案に係る電動式爪磨き器１の外観図である。
【図２】電動式爪磨き器１の断面図である。
【図３】研磨部３の分解斜視図である。
【図４】研磨体１１、１２を構成する円板状布１３の平面図である。
【図５】回転軸９の先端部形状である。
【図６】円筒状カートリッジ１０の内穴の形状とその形成法の説明図である。
【考案を実施するための形態】
【００１２】
以下、本考案に係る電動式爪磨き器の一実施形態について図面を参照して説明する。図１は本実施形態の電動式爪磨き器１の外観図、図２はその断面図である。電動式爪磨き器１は図１に示すように駆動部２とその先に取り付けた研磨部３とから構成される。駆動部２は片手で握れる大きさの略円筒状に形成されている。内部には研磨部３を回転させるためのモータ５と、そのモータ５に電源を供給する電池６が内蔵されている。円筒状カバー７の表面部には電源供給のＯＮ／ＯＦＦとモータ５の回転方向の切り換えを行なう切り換えスイッチ８が取り付けてある。
【００１３】
モータ５からは回転軸９が円筒状駆動部２の一端面から前方に向け突出して取り付けられている。研磨部３は爪表面の微小な凹凸を除去し、爪表面に艶や光沢を与えて美しく仕上げるため研磨する部分である。研磨部３は回転軸９に着脱可能に取り付けて使用される。研磨部３は図２に示すように円筒状のカートリッジ１０と、その円筒外面に取り付けた研磨体から構成される。研磨体は２個からなり、回転軸９に取り付けた状態で駆動部側となる第１の研磨体１１と、その先に取り付けた第２の研磨体１２とで構成されている。
【００１４】
図３は研磨部３の分解斜視図である。カートリッジ１０は合成樹脂で円筒状に形成されている。第１、第２の研磨体１１、１２は図４の（１）の平面図に示すような中央に穴１４を設けた同一外径の円板状布１３を複数枚積層して形成されている。穴１４の径はカートリッジ１０の外形に等しくしてある。積層の際に図４の（２）の斜線部で示す穴１４に近い部分を接着剤にて相互に接着して全体が円筒状に形成してある。第１、第２の研磨体１１、１２が接する面も接着しておくのが好ましい。このようにして形成した第１、第２の研磨体１１、１２は、円筒内面にカートリッジ１０を通し、その外面に接着剤にて固着してある。
【００１５】
研磨体を第１、第２の二つに分けたのは爪を研磨する強度を変えるためで、二つの研磨体に使用する円板状布１３には異なる硬さの布を使用する。第１の研磨体１１は専ら爪の最終仕上げ研磨に使用する研磨体であり、円板状布１３にはデニム綿のような柔らかい材料で織った布を使用する。第２の研磨体１２は爪表面の凹凸を取り除く研磨に使用する部分であり、円板状布１３には綿製の布のような硬めの布を使用する。
【００１６】
研磨部３は回転軸９に着脱可能に取り付けてある。着脱可能にするには回転軸９に雄ねじを切り、カートリッジ１０の内面に雌ねじを切って螺合させる方法でもよい。別の方法としては、図５、図６に示すようにしてもよい。即ち、図５に示すように回転軸９の先端部はカートリッジ１０の長さの１／２に相当する部分を半円筒状に削り、その平面の長さ方向１／２の位置に軸に直角な細い溝１５を形成しておく。一方、円筒状カートリッジ１０の内穴は図６の（１）に示すように、長さ１／２部分を半円筒状の穴とし、半円筒状部の長さ方向１／２の位置に回転軸９の前記細い溝１５に嵌まる大きさの凸状の突起部１６を形成しておく。
【００１７】
このような形状の内穴を形成するには、図６の（２）に示すようにカートリッジ１０に円筒状の内穴を形成した後、半円筒状で凸状突起部１６を形成した詰め物１７を接着剤で内穴に取り付ける。回転軸９の先端部とカートリッジ１０の内穴をこのような形状にしておいて回転軸９をカートリッジ１０の内穴に差し込めば、カートリッジ１０の弾性によりカートリッジ１０の凸状突起部１６が回転軸９の細い溝１５に嵌まり込んで抜けが防止される。取り外すときは少し力を込めて引き外せばよい。回転軸９の先端部半円筒部がカートリッジ１０の半円筒状内穴部に嵌まり込むためモータ５の回転力は確実に研磨部３に伝達される。
【００１８】
以上説明した本実施形態の電動式爪磨き器１は、硬さの異なる２種類の布で製作した二つの研磨体１１、１２を備えるため、爪表面の微小な凹凸を除去と、爪表面に艶や光沢を与えて美しく仕上げる仕上げ研磨の２種類の研磨を行なうことができる。研磨部３はカートリッジ１０が回転軸９に着脱可能になっているため、複数の研磨部３を準備して爪表面の状態に応じて更に適切な研磨を行うこともできる。また、スイッチ８の切り換えにより研磨体１１、１２の回転方向を変えることができるため研磨個所に応じた適切な研磨ができる。
【符号の説明】
【００１９】
図面中、１は電動式爪磨き器、２は駆動部、３は研磨部、５はモータ、６は電池、８はスイッチ、９は回転軸、１０はカートリッジ、１１は第１の研磨体、１２は第２の研磨体、１３は円板状布、１４は穴を示す。
【図１】
0003183767.tif 000003
【図２】
0003183767.tif 000004
【図３】
0003183767.tif 000005
【図４】
0003183767.tif 000006
【図５】
0003183767.tif 000007
【図６】
0003183767.tif 000008